(57)【要約】【課題】  光信号の主光線がレンズの周辺部を透過する際に曲げられるときにもたらされる光学収差によって低い光学的結合効率を改善する。【解決手段】  光ファイバとフォトダイオードとの間の光学的インターフェースが提供される。光ファイバは端部を有する。光学的インターフェースは、前述の端部で出力された光信号の主光線がレンズの中心を横切るように配置されたレンズを含む。レンズは、ボールレンズ又は主光線が該レンズの中心に対してほぼ垂直な状態で入射するような方位を有するレンズとすることができる。【選択図】      図１
2005010748.tif 000002
【特許請求の範囲】
【請求項１】
光ファイバとフォトダイオードとの間にある、端部を有する光学的インターフェースであって、前記光学的インターフェースが、
前記端部で出力された光信号の主光線がレンズの中心を横切るように配置されたレンズ、
を含むことを特徴とする光学的インターフェース。
【請求項２】
前記レンズは、前記主光線が前記レンズの光軸にほぼ重なるように方位づけられた請求項１に記載の光学的インターフェース。
【請求項３】
前記フォトダイオードがＴＯヘッダの中心線からオフセットされて前記ＴＯヘッダ上に取り付けられ、前記主光線が前記フォトダイオードの能動領域に適用され、前記ＴＯヘッダの前記中心線が前記光ファイバのコア及び前記レンズの中心と実質的に位置合わせされた請求項１に記載の光学的インターフェース。
【請求項４】
前記ＴＯヘッダの中心線と前記フォトダイオードの前記能動領域の中心との間の距離が、前記ＴＯヘッダの中心線と前記レンズの中心との間の第２の距離の２倍である請求項３の光学的インターフェース。
【請求項５】
前記フォトダイオードが、前記光ファイバの傾斜された端部に戻る前記光信号の反射が減るようになる角度で前記ＴＯヘッダ上に取り付けられた請求項１に記載の光学的インターフェース。
【請求項６】
コアと端部とを有する光ファイバと、
能動領域を有するフォトダイオードと、
前記光ファイバと前記フォトダイオードとの間に配設されたレンズと、
からなる光学的アセンブリであって、
前記レンズが、前記端部で出力された光信号の主光線が該レンズの中心を横切るように配置されるようになったことを特徴とする光学的アセンブリ。
【請求項７】
前記レンズが、前記主光線が前記レンズの光軸にほぼ重なるように方位づけられ、さらにＴＯヘッダを備え、前記フォトダイオードが、前記ＴＯヘッダの中心線からオフセットされて該ＴＯヘッダ上に取り付けられ、前記主光線が前記フォトダイオードの能動領域に適用され、前記ＴＯヘッダの前記中心線が前記光ファイバのコアと実質的に位置合わせされ、前記ＴＯヘッダの前記中心線が、前記レンズの中心と実質的に位置合わせされた請求項６に記載の光学的アセンブリ。
【請求項８】
前記ＴＯヘッダの中心線と前記フォトダイオードの前記能動領域の中心との間の距離が、前記ＴＯヘッダの中心線と前記レンズの中心との間の第２の距離の２倍である請求項７に記載の光学的アセンブリ。
【請求項９】
能動領域を有するフォトダイオードを用いて、光ファイバの端部で出力された光信号の主光線を検出する方法であって、
前記主光線が前記端部の表面に対して或る角度で出力されるように、前記光ファイバの前記端部を傾斜させ、
前記主光線が、実質的に曲げられていない状態で、前記フォトダイオードの前記能動領域上に入射できるように該フォトダイオードを配置することからなり、前記主光線がレンズの光軸と実質的に位置合わせされるように、レンズを前記光ファイバと前記フォトダイオードとの間に配置する、
ことをさらに含むことを特徴とする方法。
【請求項１０】
光ファイバと光電子的装置とからなる光学的アセンブリにおいて、前記光ファイバと前記光電子的装置との間の結合効率を改善する方法であって、
前記光電子的装置と光学的に界面を形成する前記光ファイバの縁部を傾斜させ、
光信号の主光線が、実質的に曲げられていない状態で、前記光ファイバの傾斜された縁部と前記光電子的装置との間で移動できるように該光電子的装置を配置する、
ことからなる方法。
【発明の詳細な説明】
【背景技術】
【０００１】
（関連出願）
本出願は、同日に出願された「レーザのための光電子的ＴＯパッケージ及び方法」（代理人整理番号５０１５６／ＳＡＨ／Ｅ３４９）という名称の本発明の出願人が所有する米国特許出願に開示された内容に関する内容を含むものである。
【０００２】
レシーバ光学サブアセンブリ（ＲＯＳＡ）においては、典型的には、トランジスタアウトライン（ＴＯ）缶（又はパッケージ）にパッケージされたフォトダイオードチップを用いて、光ファイバを通じて受信された光信号を検出するようにする。１０Ｇｂｐｓ（１秒当たりのギガビット数）又はそれより速い伝送速度で光信号を受信する通常のＴＯ缶においては、フォトダイオードチップは、ＴＯヘッダの中心に配置される。フォトダイオードチップのこうしたセンタリングは、フォトダイオードチップの能動領域を光ファイバに対して同軸であるようにする。しかしながら、フォトダイオードチップの位置をＴＯ缶の中心に限定すると、融通性のない構成をもたらすことになる。こうしたフォトダイオードチップが中心にある構造においては、他の部品間の距離、又は、例えばワイヤボンディングのためのリードに対する距離を減少させる位置に該部品を配置することは難しいものとなる。
【０００３】
さらに、フォトダイオードチップが光ファイバと同軸である場合には、光ファイバの光出力に干渉する光信号の反射のために、比較的高い戻り損失がもたらされることが普通である。光ファイバの縁部は、多くの場合、光ファイバ上に入射する反射が減少する角度で傾斜されている。しかしながら、縁部のこうした傾斜は、例えば、光信号の主光線がレンズの周辺部を透過する際に曲げられるときにもたらされる光学収差によって低い光学的結合効率をもたらすことが普通である。
【発明の開示】
【課題を解決するための手段】
【０００４】
本発明の態様による例示的な実施形態においては、端部を有する光ファイバとフォトダイオードとの間の光学的インターフェースが提供される。光学的インターフェースは、前述の端部で出力された光信号の主光線がレンズの中心を横切るように配置されたレンズを含む。
本発明の態様による別の例示的な実施形態においては、光学的アセンブリが提供される。光学的アセンブリは、コア及び端部を有する光ファイバと、能動領域を有するフォトダイオードと、前述の端部で出力された光信号の主光線がレンズの中心を横切るように配置され、該光ファイバと該フォトダイオードとの間に配設されたレンズとを含む。
【０００５】
本発明の態様によるさらに別の例示的な実施形態においては、能動領域を有するフォトダイオードを用いて、光ファイバの端部で出力された光信号の主光線を検出する方法が提供される。この方法は、主光線が前述の端部の表面に対して或る角度をもって出力されるように、光ファイバの前述の端部を傾斜させ、該主光線が実質的には曲げられていない状態で、フォトダイオードの能動領域に入射できるようにフォトダイオードを配置することを含む。
本発明の態様によるさらに別の例示的な実施形態においては、光ファイバと光電子装置とからなる光アセンブリにおいて、該光ファイバと該光電子装置と間の結合効率を改善する方法が提供される。この方法は、光電子装置と光学的に界面を形成する光ファイバの縁部を傾斜させ、光信号の主光線が、実質的には曲げられていない状態で、該光ファイバの前述の傾斜した端部と該光電子装置との間で移動できるように該光電子装置を配置することを含む。
本発明のこれらその他の態様は、本明細書の説明及び添付の図面を考慮することで、より容易に理解されるであろう。
【発明を実施するための最良の形態】
【０００６】
本発明の態様による例示的な実施形態において、中心から離れたフォトダイオードチップを有する光ファイバ・レシーバＴＯパッケージ（又はＴＯ缶）が提供される。フォトダイオードチップをＴＯパッケージの中心から離して配置することにより、ＴＯ缶には、製造上の融通性が実現される。フォトダイオードチップを適当な位置に配置することにより、ＴＯパッケージのレシーバ光学サブシステムには、高い光出力の結合効率と低い戻り損失が達成される。その結果、レシーバの電気的性能が改善されることになる。
図１は、本発明の態様による例示的な実施形態における光ファイバ１０２とフォトダイオードチップ１０５との間の光学的インターフェースの概略図である。光ファイバ１０２は、光ファイバケーブルの端部とすることもできるし、或いは受け部（図示せず）に封入されたファイバスタブとすることもできる。例えば、光ファイバケーブル又はファイバスタブは、ＳＭＦ−２８又はその他の適当な光ファイバのいずれかとすることができる。光ファイバ１０２がファイバスタブである場合には、該ファイバスタブ及び受け部をまとめて、ＬＣ受け部と呼ぶこともある。他の実施形態においては、例えばＳＣ、ＭＵ、ＦＣなどの他の種類の受け部を用いることもできる。光ファイバ１０２の端部は、該端部（すなわち縁部）が傾斜されるように劈開及び／又は研磨される。例えば、端部の角度は、８度とすることができる。もちろん、縁部の角度は、以下に説明されるように、他の実施形態においては、８度よりも大きいか又は小さい適当な角度とすることもできる。
【０００７】
フォトダイオード１０５は、例えば１０Ｇｂｐｓ又はそれより速いビットレートで光信号を検出することができる適当なフォトダイオードのいずれかとすることができる。フォトダイオードは、８５０ナノメートル（ｎｍ）の波長で光信号を生成するＶＣＳＥＬ、１３１０及び／又は１５５０ｎｍの波長で光信号を生成するエッジ発光レーザ、ＤＦＢ（分布帰還型）レーザ及び／又はＦＰ（ファブリ・ペロー）レーザと両立性があるものとする。例えば、フォトダイオード１０５は、ＰＩＮダイオード又はＡＰＤ（「アバランシェ・フォトダイオード」）とすることができる。
光学的インターフェースは、そこを透過する光ビームを合焦する正の（すなわち集光）レンズであるレンズ１０４を含む。例示的な実施形態においては、主光線は、レンズ１０４の中心を透過し、該主光線は、光ファイバ１０２からフォトダイオードチップ１０５まで移動する際に該光ファイバの端部から出た後、該レンズ１０４においては実質的に曲げられない。主光線は、光線追跡における主点を透過する物体からの光線として定義することができ、当業者にはよく知られている。
【０００８】
例示的な実施形態においては、主光線は、光軸内にあり、すなわち、主光線は、光軸に実質的に重なる（又は実質的に適合する）。このように、（光ファイバの端部が傾斜させられ、フォトダイオードがＴＯヘッダの中心にある場合のように）レンズ１０４の周辺部の近くに（すなわち中心から離れて）主光線を透過させることによって生じることがある収差が減少される。こうした軸上の作動は、例えば、軸外の作動（すなわち、主光線がレンズの周辺部を透過すること）により生じることがある非点収差及びコマといった収差が減少するために、高い結合効率をもたらす。
例示的な実施形態においては、光ファイバと能動領域（すなわち検出領域）は、同軸ではない。実際には、ＴＯヘッダの中心線１０８は、実質的には光ファイバ１０２の軸（すなわちファイバコア）と位置合わせされるが、フォトダイオードチップ１０５の能動領域１０６の中心を通るフォトダイオードの中心線１１２は、ＴＯヘッダの中心線１０８からオフセットされる。ＴＯヘッダの中心線１０８とフォトダイオードの中心線１１２との間には、レンズ１０４の中心を通って横切るレンズの中心線１１０がある。
【０００９】
例えば、フォトダイオード１０５は、ＴＯパッケージのＴＯヘッダ上に取り付けられ、レンズ１０４は、該ＴＯパッケージのＴＯレンズホルダ（図示せず）に取り付けることができる。
光ファイバ１０２は、その出力端部（すなわち縁部）においてシータ（θ）の角度だけ傾斜（又は劈開）されている。光ファイバ１０２の傾斜した端部は、該光ファイバの端部の表面から生成される戻り損失を減少するように用いられる。傾斜は、研磨及び／又は劈開によって達成できる。光ファイバ１０２に伝送される光信号は、例えば、１０Ｇｂｐｓ又はそれより速いビットレートを有することができる。スネルの法則により、光ビームの主光線は、端部に傾斜が付けられた光ファイバの出力部においてαの角度をもって曲げられ、ＴＯレンズホルダ（図示せず）に取り付けられたレンズ１０４の中に送られる。スネルの法則によると、角度αは、次のように求められ、すなわちα＝アークサイン［ｓｉｎθ／ｎ＿ｃｏｒｅ］であり、ここで、例えば、１３１０ｎｍにおいては、ｎ＿ｃｏｒｅ（屈折率）＝１．４６７７であり、１５５０ｎｍにおいては、１．４６８２である。
【００１０】
ＴＯヘッダの中心線１０８から適切なオフセットを得るために、レンズ１０４は、該ＴＯヘッダの中心線１０８から離れて配置される。さらに、レンズ１０４は、該レンズ１０４に関連する収差による影響を減少させるために、該レンズの中心線１１０に垂直な線に対して角度αをもって傾斜させて、主光線が該レンズの中心を透過できるようにする。
この光学系の倍率を約１：１に選択すると、フォトダイオードの中心線１１２は、ＴＯヘッダの中心線１０８から、レンズの中心線１１０までの２倍だけ離れることになる。同じαの角度をもつ入射主光線が、フォトダイオードの能動領域１０６（サイズ＝〜２０μｍから３５μｍまでの直径）を照らす。他の実施形態においては、倍率は、約０．８と１．５との間とすることができる。例示的な実施形態における能動領域１０６上に入射する光ビームのスポットサイズは、例えばおよそ９μｍとおよそ１５μｍとの間とすることができる。他の実施形態においては、光ビームのスポットサイズは異なっていてもよい。
【００１１】
図１に示される例示的な実施形態においては、光ファイバ１０２のコアは、実質的にはＴＯヘッダの中心線１０８と位置合わせされ、レンズの中心線１１０は、該ＴＯヘッダの中心線１０８からオフセットされる。しかしながら、他の実施形態においては、レンズの中心線は、実質的にＴＯヘッダの中心線と位置合わされてもよく、光ファイバのコアは、該ＴＯヘッダの中心線から（図１のレンズの中心線１１０のオフセットと）同じ量だけかつ反対方向にオフセットされてもよい。このような場合には、フォトダイオードチップは、さらに、主光線をその能動領域上に受け取るように移動されるものとなる。換言すると、光ファイバとレンズとフォトダイオードとの間の空間的な関係が維持されている限り、ＴＯヘッダの中心線は、実質的に、光ファイバの中心線か又はレンズ中心線のいずれかと融通よく位置合わせすることができる。
【００１２】
図１の例示的な実施形態においては、フォトダイオードチップ１０５は、ＴＯヘッダ上に平らに取り付けられた状態で示されている。他の実施形態においては、フォトダイオードチップは、該フォトダイオードチップの表面からの如何なる反射も、光ファイバからさらに離れる方向に向けられるように、ＴＯヘッダの表面に対して或る角度をもって取り付けることができる。フォトダイオードチップがＴＯヘッダの表面上に或る角度をもって取り付けられた場合でも、光信号の主光線は、依然としてフォトダイオードの能動領域上に入射するものとなる。
図２は、本発明の態様による別の例示的な実施形態における光ファイバ１２２とフォトダイオードチップ１２５との間の光学的インターフェースの概略図である。光ファイバ１２２は、光ファイバケーブルの端部とすることもできるし、或いは受け部（図示せず）に封入されたファイバスタブとすることもできる。光ファイバケーブル又はファイバスタブは、例えば、ＳＭＦ−２８とすることもできるし、或いはその他の適当な光ファイバとすることもできる。光ファイバ１２２がファイバスタブである場合には、このファイバスタブ及び受け部をまとめて、ＬＣ受け部（又は受け部の種類に基づいて、例えばＳＣ、ＭＵ若しくはＦＣ受け部）と呼ぶこともできる。
【００１３】
図２の光学的インターフェースは、図２においてはボールレンズが用いられていることを除けば、図１の光学的インターフェースと同様なものである。さらに、図２は、フォトダイオードチップ１２５が反射される信号によって生じる光信号の戻り損失をさらに減少させるように、角度δをもってＴＯヘッダ（図示せず）に取り付けられている状態を示す。
光学的インターフェースは、そこを透過する光ビームを合焦するボールレンズ１２４（「マイクロボールレンズ」）を含む。主光線は、ボールレンズ１２４の中心を透過し、光ファイバ１２２からフォトダイオードチップ１２５まで移動する際には実質的には曲げられない。このように、ボールレンズ１２４の周辺部の近くに主光線を透過させることによって生じることがある収差（例えば、コマ又は非点収差）を減少させることができる。
【００１４】
本実施形態においては、光ファイバと能動領域（すなわち検出領域）は、同軸ではない。実際には、ＴＯヘッダの中心線１２８は、実質的に、光ファイバ１２２の軸（すなわちファイバコア）と位置合わせされるが、フォトダイオードチップ１２５の能動領域１２６を通るフォトダイオードの中心線１３２は、該ＴＯヘッダの中心線１２８からオフセットされる。ＴＯヘッダの中心線１２８とフォトダイオードの中心線１３２との間には、レンズ１２４の中心を通るレンズの中心線１３０がある。
フォトダイオード１２５は、例えば、ＴＯパッケージのＴＯヘッダ上に取り付けられ、ボールレンズ１２４は、ＴＯレンズホルダ（図示せず）上に取り付けることができる。フォトダイオード１２５は、図１のフォトダイオード１０５と実質的に同じものとすることができ、ＰＩＮダイオード又はＡＰＤとすることができる。
【００１５】
光ファイバ１２２は、その出力端部においてシータ（θ）の角度だけ傾斜（又は劈開）されている。光ファイバ１２２の傾斜した端部は、該光ファイバ端部の表面に入射する反射によって生成される戻り損失を減少するように用いられる。傾斜は、研磨及び／又は劈開によって達成できる。光ファイバ１２２上に伝送される光信号は、例えば、１０Ｇｂｐｓ又はそれ以上のデータレートを有することができる。スネルの法則により、光ビームの主光線は、傾斜した光ファイバの端部からαの角度をもって透過され、ＴＯレンズホルダ（図示せず）に取り付けられたボールレンズ１２４の中に送られる。スネルの法則によると、角度αは、次のように求められ、すなわちα＝アークサイン［ｓｉｎθ／ｎ＿ｃｏｒｅ］であり、ここで、例えば、１３１０ｎｍにおいては、ｎ＿ｃｏｒｅ＝１．４６７７であり、１５５０ｎｍにおいては、ｎ＿ｃｏｒｅ＝１．４６８２である。
【００１６】
ＴＯヘッダの中心線１２８から適切なオフセットを得るために、ボールレンズ１２４は、ＴＯヘッダの中心線１２８から離れて配置される。ボールレンズ１２４は球状であり、ボールの中心に対して対称であるので、該ボールレンズ１２４は、曲げられた主光線をレンズの中心に通すようにするために中心線に対してαの角度をもって傾ける必要はない。この光学系の倍率を約１：１に選択すると、フォトダイオード１２５の能動領域１２６の中心線１３２は、ＴＯヘッダの中心線１２８から、ボールレンズ１２４の中心を通るレンズの中心線１３０までの２倍だけ離れることになる。同じαの角度をもつ入射主光線が、フォトダイオードの能動領域１２６（サイズ＝約２０μｍから約３５μｍまでの直径）を照らす。他の実施形態においては、倍率は、約０．８から約１．５までの間とすることができる。
【００１７】
図２に示すように、フォトダイオードチップ１２５は、大幅に結合効率を減少させることなく、さらに戻り損失を低くするように傾けられる。例えば、フォトダイオードチップ１２５は、ＴＯヘッダの表面に対してδの角度をもって傾けることができる。従って、フォトダイオードの入射角は、αよりも大きいものとなる（α＋δ）。フォトダイオードチップは、例えば、ＴＯヘッダの表面を型打ちすることにより該ＴＯヘッダ上で傾けることができる。
図２に示される例示的な実施形態においては、光ファイバ１２２のコアは、実質的にはＴＯヘッダの中心線１２８と位置合わせされ、レンズの中心線１３０は、該ＴＯヘッダの中心線１２８からオフセットされる。しかしながら、他の実施形態においては、レンズ中心線は、実質的に、ＴＯヘッダの中心線と位置合わせされ、光ファイバのコアは、該ＴＯヘッダの中心線から（図２のレンズの中心線１３０からのオフセットと）同じ量だけかつ反対方向にオフセットされてもよい。このような場合には、フォトダイオードチップは、さらにその能動領域上に主光線を受け取るように移動されるものとなる。換言すると、光ファイバとレンズとフォトダイオードとの間の空間的な関係が維持されている限り、ＴＯヘッダの中心線は、実質的に、光ファイバのコアか又はレンズの中心線のいずれかと融通よく位置合わせすることができる。
【００１８】
図３は、本発明の態様による例示的な実施形態におけるＴＯパッケージ１４０の平面図である。ＴＯパッケージ１４０は、例えば、１０Ｇｂｐｓの光ファイバ・レシーバのＴＯ−４６パッケージとすることができる。ＴＯパッケージ１４０は、ＩＣダイ１４２を含み、該ＩＣダイは、例えば、トランス・インピーダンス増幅器（ＴＩＡ）を含むことができる。本実施形態その他実施形態においては、ＩＣダイ１４２は、さらに他の回路を含むことができる。
ＩＣダイ１４２がＴＯパッケージ１４０の中心の近くに配置されていることが、図３においてわかる。その位置が中心の回りであるために、比較的短いワイヤボンド接続を、ＩＣダイ１４２と４つのＴＯヘッダリード１４８ａから１４８ｄまでの各々との間に作ることができる。リード１４８ａ及び１４８ｂは、例えば、ＴＯパッケージ１４０の差動出力とすることができる。さらに、リード１４８ｃを用いて、例えば、直流電源をＴＩＡに与えるようにすることができる。リード１４８ｄは、フォトダイオード（ＰＤ）バイアス電流を計測して、フォトダイオード１４４を監視するようにするものとすることができる。
【００１９】
フォトダイオード１４４は、光信号を検出する能動領域１４６を有する。フォトダイオード能動領域１４６の中心線１５４がフォトダイオードのオフセット１５８分だけＴＯパッケージの中心線１５０からオフセットされていることがわかる。さらに、図３においては、レンズの中心線１５２がレンズのオフセット１５６分だけＴＯパッケージの中心線１５０からオフセットされていることもわかる。例えば、フォトダイオードのオフセット１５８がレンズのオフセット１５６の約２倍である場合には、ＴＯパッケージは、およそ１：１の倍率を有する。
図４は、光学的結合効率に対するフォトダイオードチップの位置及び入力ファイバ端部の傾斜角の関係を示すグラフ１６０である。グラフ１６０は、１．０ｍｍの半径をもつボールレンズと２５μｍの直径の能動領域をもつフォトダイオードとをもったＴＯパッケージを有する高速レシーバのために作成されたものである。光学的結合効率は、入力光信号の主光線がボールレンズの中心を通ることを可能にして、レンズの収差による影響が少なくなるように入力ファイバ端部の傾斜角を最適化することにより達成される。グラフ１６０は、そこに５つの異なるプロット、すなわち、１４．５度の劈開角度のプロット１６２、１２度の劈開角度のプロット１６４、１０度の劈開角度のプロット１６６、８度の劈開角度のプロット１６８、及び６度の劈開角度のプロット１７０を有する。
【００２０】
６度の劈開角度を有する光ファイバについては、最高結合効率（およそ９２％）は、フォトダイオードの能動領域が光ファイバコアの軸からおよそ０．２８ｍｍだけオフセットされるときに達成される。８度の劈開角度を有する光ファイバについては、最高結合効率（およそ９１％）は、プロット１６８に示すように、およそ０．４ｍｍのオフセットにおいて達成される。１０度の劈開角度については、最高結合効率（およそ９０％）は、プロット１６６に示すように、およそ０．５ｍｍのオフセットにおいて達成される。１２度及び１４．５度のそれぞれ劈開角度については、最高結合効率（およそ９０％）は、プロット１６４及び１６２のそれぞれに示すように、０．６ｍｍ及び０．７ｍｍにおいて達成される。
図５は、レンズが典型的なボールレンズである場合の典型的な光学的戻り損失に対するフォトダイオード中心のオフセットの関係を示すグラフ１８０である。グラフ１８０において、フォトダイオード中心のオフセットが増加するに伴い、光学的戻り損失がゼロオフセットにおける約−２４ｄＢから、２５０μｍのオフセットにおける約−５５ｄＢまで低下することがわかる。
【００２１】
図６は、本発明の態様による例示的な実施形態における受け部ＴＯパッケージ２００の光学的インターフェースについての断面図である。受け部ＴＯパッケージ２００を、レシーバ光学サブアセンブリ（「ＲＯＳＡ」）と呼ぶこともある。受け部ＴＯパッケージ２００は、受け部２１１と光ファイバ（すなわちファイバスタブ）２１２とを含むＬＣ受け部２０２を含む。光ファイバ２１２は、傾斜した端部を有し、例えばＳＭＦ−２８とすることができる。ＬＣ受け部２０２は、ボールレンズ２０６を保持するレンズホルダ２０４と界面を形成する。他の実施形態においては、ボールレンズ２０６は、光ビームを合焦する他の適当な正の（すなわち収斂）レンズのいずれかによって代用することができる。レンズホルダ２０４は、ＴＯヘッダ２０８上に取り付けられ、これは３＋１のリードその他のピン配置を有することができる。フォトダイオード２１０は、中心から或るオフセットのところでＴＯヘッダ２０８上に取り付けられる。受け部ＴＯパッケージ２００は、例えば、１０Ｇｂｐｓ又はそれより速いビットレートで作動することができる。図６に示される実施形態はまた、光ファイバ・レシーバのピグテール型ＴＯパッケージに適用することもできる。
【００２２】
図６は、受け部ＴＯパッケージ２００が、ボールレンズ２０６の中心をＴＯヘッダ２０８の中心線から或るオフセットのところに有する状態を示している。受け部ＴＯパッケージ２００はまた、光ファイバ２１２が実質的にＴＯヘッダ２０８の中心線と位置合わせされていることも示している。これは、この通りでなくても構わない。他の実施形態においては、ボールレンズ２０６の中心は、実質的に、ＴＯヘッダ２０８の中心線と位置合わせされ、ファイバスタブは、該ＴＯヘッダ２０８の中心からオフセットされたところに配置される。従って、端部が傾斜された光ファイバとボールレンズとの間の相対的位置が維持されている限り、これらはＴＯヘッダ２０８に対して融通よく配置することができる。
【００２３】
当業者であれば本発明の精神又は本質的な特徴から逸脱することなく、本発明を他の特定の形態で具現できることを、理解するであろう。従って、本発明は、すべての点は説明するものであり、限定するものではないことが考えられる。本発明の範囲は、添付の特許請求の範囲により指定され、その均等技術の意味及び範囲内に入るあらゆる変更が、ここに含まれることが意図される。例えば、他の実施形態における光学的インターフェースは、２つ又はそれ以上のレンズを含むことができる。さらに、光経路に１つ又はそれ以上の折りたたみ鏡を含んで、光ビームを所望に位置に向けるようにすることができきる。
【図面の簡単な説明】
【００２４】
【図１】本発明の態様による例示的な実施形態における光ファイバとフォトダイオードチップとの間の光学的インターフェースの概略図である。
【図２】本発明の態様による別の例示的な実施形態における光ファイバとフォトダイオードチップとの間の光学的インターフェースの概略図である。
【図３】本発明の態様による例示的な実施形態におけるＴＯパッケージの平面図である。
【図４】光学的結合効率に対するフォトダイオードチップの位置及び光ファイバ端部の傾斜角の関係を示すグラフである。
【図５】ボールレンズが用いられた場合の光学的戻り損失に対するフォトダイオード中心のオフセットの関係を示すグラフである。
【図６】本発明の態様による例示的な実施形態における受け部ＴＯパッケージの光学的インターフェースの断面図である。
【符号の説明】
【００２５】
１０２：光ファイバ
１０４：レンズ
１０５：フォトダイオード
１０６：能動領域
１０８：ＴＯヘッダの中心線
１１０：レンズの中心線
１１２：フォトダイオードの中心線
【図１】
2005010748.tif 000003
【図２】
2005010748.tif 000004
【図３】
2005010748.tif 000005
【図４】
2005010748.tif 000006
【図５】
2005010748.tif 000007
【図６】
2005010748.tif 000008
【外国語明細書】
2005010748.tif 000009
2005010748.tif 000010
2005010748.tif 000011
2005010748.tif 000012
2005010748.tif 000013
2005010748.tif 000014
2005010748.tif 000015
2005010748.tif 000016
2005010748.tif 000017
2005010748.tif 000018
2005010748.tif 000019
2005010748.tif 000020
2005010748.tif 000021
2005010748.tif 000022
2005010748.tif 000023
2005010748.tif 000024
2005010748.tif 000025
2005010748.tif 000026
2005010748.tif 000027
2005010748.tif 000028
2005010748.tif 000029
2005010748.tif 000030
2005010748.tif 000031